【手続補正書】
【提出日】平成21年1月15日(2009.1.15)
【手続補正１】
【補正対象書類名】明細書
【補正対象項目名】特許請求の範囲
【補正方法】変更
【補正の内容】
【特許請求の範囲】
【請求項１】
便器と、
前記便器内面を洗浄する洗浄水を貯えるタンクと、
前記タンク内の洗浄水を流出させる流水手段と、
前記流水手段を制御する制御手段と、を備え、
前記便器の上端にはリムが形成され、前記リム内には前記タンクからの洗浄水を便器へ流すための主洗浄水路が前記便器の全周に渡り設けられ、
前記主洗浄水路には、前記便器の内面に向かい、複数の噴水口が設けられ、
前記制御手段は、用便後に前記流水手段を駆動して前記便器の洗浄を行う通常洗浄モードと、用便前に前記流水手段を駆動して前記便器の内面を濡らす事前洗浄モードと、を実行するよう構成されている、自動洗浄トイレ。
【請求項２】
前記制御手段は、前記通常洗浄モードおよび前記事前洗浄モードそれぞれにおいて前記主洗浄水路に流す洗浄水量を変えるよう流水手段を制御する、請求項１に記載の自動洗浄トイレ。
【請求項３】
前記事前洗浄モードでは、洗浄水は便器内面の全面を濡らすように前記主洗浄水路から流出する、請求項２に記載の自動洗浄トイレ。
【請求項４】
前記事前洗浄モードの洗浄水量は、用便後の通常洗浄モードより少ないものとなっている、請求項１、２又は記載の自動洗浄トイレ。
【請求項５】
前記事前洗浄モードの洗浄水量は、少なくとも便器内面の前方全面を濡らす量となっている、請求項１、２又は３に記載の自動洗浄トイレ。
【請求項６】
人の存在を検知する人体検知手段を、さらに備え、
前記人体検知手段が人の存在を検知した時、前記制御手段は、前記事前洗浄モードとするよう構成されている、請求項１〜５のいずれか１項に記載の自動洗浄トイレ。
【請求項７】
前記人体検知手段として、前記便器への人の着座及び離座を検知する着離座検知手段が用いられている、請求項６に記載の自動洗浄トイレ。
【請求項８】
前記人体検知手段として、トイレ室に人が入室したことを検知する入室検知手段が用いられている、請求項６に記載の自動洗浄トイレ。
【請求項９】
前記着離座検知手段が離座を検知した時、前記制御手段は、前記通常洗浄モードを行うよう構成されている、請求項７記載に記載の自動洗浄トイレ。
【請求項１０】
前記便器は、防汚処理されてなる、請求項１〜９のいずれか１項に記載の自動洗浄トイレ。
【請求項１１】
前記流水手段として、電動式フラッシュが用いられている、請求項１〜１０のいずれか１項に記載の自動洗浄トイレ。
【請求項１２】
前記タンクを覆う外装ケース内に、前記電動式フラッシュが固定されて配設されている、請求項１１に記載の自動洗浄トイレ。
【手続補正２】
【補正対象書類名】明細書
【補正対象項目名】０００８
【補正方法】変更
【補正の内容】
【０００８】
【発明の実施の形態】
本発明に係る自動洗浄トイレは、便器と、前記便器内面を洗浄する洗浄水を貯えるタンクと、前記タンク内の洗浄水を流出させるための流水手段と、前記流水手段を制御する制御手段と、を備え、前記便器の上端にはリムが形成され、前記リム内には前記タンクからの洗浄水を便器へ流すための主洗浄水路が前記便器の全周に渡り設けられ、前記主洗浄水路には、前記便器の内面に向かい、複数の噴水口が設けられ、前記制御手段は、用便後に前記流水手段を駆動して前記便器の洗浄を行う通常洗浄モードと、用便前に前記流水手段を駆動して前記便器の内面を濡らす事前洗浄モードと、を実行するよう構成されている。これにより、新たに事前洗浄水路を設けず、既存の洗浄水路に単純に洗浄水を流すだけで、便器の内面を用便前に濡らし、大便等が便器に付着することを防止することができる。
【手続補正３】
【補正対象書類名】明細書
【補正対象項目名】０００９
【補正方法】変更
【補正の内容】
【０００９】
前記自動洗浄トイレにおいては、前記制御手段は、前記通常洗浄モードおよび前記事前洗浄モードそれぞれにおいて前記主洗浄水路に流す洗浄水量を変えるよう流水手段を制御することが好ましい。これにより、より単純な便器構成で、便器の内面を用便前に濡らす事前洗浄と、用便後の通常洗浄を、洗浄水量を変えることが可能となる。
【手続補正４】
【補正対象書類名】明細書
【補正対象項目名】００１０
【補正方法】変更
【補正の内容】
【００１０】
前記自動洗浄トイレにおいては、洗浄水を便器内面全面を濡らすように流出させることが好ましい。これにより、事前洗浄時、大便等が便器に付着することを防止する範囲を確実に広げ、用便後も汚物が便器に残らず、全て排水されるようにすることができる。
【手続補正５】
【補正対象書類名】明細書
【補正対象項目名】００１１
【補正方法】変更
【補正の内容】
【００１１】
前記自動洗浄トイレにおいては、事前洗浄モードの洗浄水量を、用便後の通常洗浄モードより少なくすることが好ましい。これにより、事前洗浄モードでは便器内面を濡らすだけの洗浄水量、通常洗浄モードでは汚物を全て洗い流す洗浄水量と、各洗浄モードに見合った洗浄水量に設定して行うこととなり、必要以上の洗浄水を使わないようにすることができる。
【手続補正６】
【補正対象書類名】明細書
【補正対象項目名】００１２
【補正方法】変更
【補正の内容】
【００１２】
前記自動洗浄トイレにおいては、事前洗浄モードの洗浄水量を、少なくとも便器内面の前方全面、すなわち便が付着すると考えられる部分のみを濡らす量とすることが好ましい。これにより、事前洗浄時、便器内面全体を濡らすだけの最低洗浄水量より、さらに少量の洗浄水量で便器への汚物付着を防止することができる。
【手続補正７】
【補正対象書類名】明細書
【補正対象項目名】００１３
【補正方法】変更
【補正の内容】
【００１３】
前記自動洗浄トイレにおいては、人の存在を検知する人体検知手段を加えたもので、前記人体検知手段が人の存在を検知した時、事前洗浄モードとすることが好ましい。これにより、人が操作することなく自動で事前洗浄を行うことが可能となる。
【手続補正８】
【補正対象書類名】明細書
【補正対象項目名】００１４
【補正方法】変更
【補正の内容】
【００１４】
前記自動洗浄トイレにおいては、便器への人の着座及び離座を検知する着離座検知手段を用いることが好ましい。これにより、人が必ず用を足す時のみ、事前洗浄を自動で行うことを可能とする。すなわち、人が別の目的で近づいたときには、事前洗浄を行わないことを意味し、余分な便器洗浄を行うことを防止し、さらなる節水を実現可能とすることができる。
【手続補正９】
【補正対象書類名】明細書
【補正対象項目名】００１５
【補正方法】変更
【補正の内容】
【００１５】
前記自動洗浄トイレにおいては、前記人体検知手段として、トイレ室に人が入室したことを検知する入室検知手段を用いることが好ましい。これにより、前記入室検知手段に連動して、便器の内面を自動で事前洗浄することにより、体調によっては着座と同時に即、用を足す場合、サイホン便器で汚物を少量の水で流すと配管詰りをおこす可能性がある問題を、着座時に事前洗浄を行うより低減することができる。
【手続補正１０】
【補正対象書類名】明細書
【補正対象項目名】００１６
【補正方法】変更
【補正の内容】
【００１６】
前記自動洗浄トイレにおいては、前記着離座検知手段が離座を検知した時、通常洗浄モードを行うことが好ましい。これにより、人は一度も何にも触れることなく、用便を済ますことが可能となる。
【手続補正１１】
【補正対象書類名】明細書
【補正対象項目名】００１７
【補正方法】変更
【補正の内容】
【００１７】
前記自動洗浄トイレにおいては、便器に防汚処理を施すことが好ましい。これにより、防汚処理をした上に事前洗浄を行うため、より防汚処理の効果を高めようとすることができる。
【手続補正１２】
【補正対象書類名】明細書
【補正対象項目名】００１８
【補正方法】変更
【補正の内容】
【００１８】
前記自動洗浄トイレにおいては、流水手段を電動式フラッシュとすることが好ましい。これにより、複雑な機構、制御を設けることなく、より単純に各便器洗浄を行なおうとするものである。極論として、タンクから便器洗浄水路への洗浄水の供給は、電磁弁の開閉一つのみですむ構成が可能となる。
【手続補正１３】
【補正対象書類名】明細書
【補正対象項目名】００１９
【補正方法】変更
【補正の内容】
【００１９】
前記自動洗浄トイレにおいては、前記電動式フラッシュを、タンクを覆う外装ケース内に固定して配設することが好ましい。これにより、タンク内の水面部より遠ざけることができるため電動式フラッシュそのものの防水構造をより単純なものにすることが可能となる。